(57)【特許請求の範囲】
【請求項１】
記録媒体に記録された信号をピン層の磁化の方向が一定とされたスピンバルブ素子により読み出し、該読出信号に基づいて情報を再生する情報再生装置において、
前記読出信号の極性を検出する極性検出手段と、
前記読出信号が供給されており、前記極性検出手段で検出された極性に応じて前記読出信号の極性を反転させる極性反転手段と、
前記極性反転手段の出力信号が供給されており、前記極性反転手段の出力信号を増幅して出力しており、前記極性検出手段での極性検出結果に応じて増幅率を切り換える増幅回路とを有することを特徴とする情報再生装置。
【請求項２】
前記極性検出手段は、前記読出信号のＤＣ成分を除去するＤＣ除去回路と、
前記ＤＣ除去回路で除去された読出信号を平滑化するフィルタ回路と、
前記フィルタ回路の出力を基準電圧と比較する比較回路とを有することを特徴とする請求項１記載の情報再生装置。
【請求項３】
前記極性検出手段は、前記読出信号とその反転信号とが供給されており、前記読出信号と該反転信号との差動信号を出力する差動増幅回路と、
前記差動増幅回路の出力差動信号が供給されており、前記差動増幅回路の出力差動信号を積分して出力する積分回路と、
前記積分回路の出力を基準電圧と比較する比較回路とを有することを特徴とする請求項１記載の情報再生装置。
【請求項４】
前記増幅回路の出力信号に応じて増幅率を制御する自動利得制御回路を有し、
前記極性反転手段は、前記利得制御回路の出力信号に応じて前記読出信号の極性を反転させることを特徴とする請求項１記載の情報再生装置。
【請求項５】
前記読出信号が供給されており、前記読出信号に応じて前記読出信号に上下非対称補正が必要か否かを判定し、上下非対称補正が必要なときに、上下非対称補正を行なう非対称補正回路とを有することを特徴とする請求項１記載の情報再生装置。
【発明の詳細な説明】
【０００１】
【発明の属する技術分野】
本発明は情報再生装置に係り、特に、スピンバルブヘッドにより情報を再生する情報再生装置に関する。
近年、ハードディスクドライブは記録密度の高密度化に伴い、再生ヘッドとしてＧＭＲ（Giant Magneto-Resistance）ヘッドが主流となっている。ところが、現在使用されているＧＭＲヘッドは磁性材料などの耐圧が低いため、静電気などで容易にヘッドの磁極性が反転していた。ヘッドの磁極性が反転してしまうことにより、読出信号の極性が判定する。また、読出信号の上下非対称性が変化する。よって、正常に信号処理が行われずデータエラーを発生する。
【０００２】
このため、ヘッドの磁気極性が反転しないようにする必要があった。
【０００３】
【従来の技術】
図１に従来の磁気ディスク装置の一例の斜視図を示す。
磁気ディスク装置１は、コンピュータシステムに接続され、コンピュータシステムで処理されたデータを記録媒体である磁気ディスク２に記憶する。磁気ディスク２は、スピンドルモータ３により矢印Ａ方向に回転され、磁気ディスク２に対向して配置された磁気ヘッド４により記録再生が行われる。
【０００４】
磁気ヘッド４は、軸５を中心に回転自在に保持されたヘッドアーム６の一端に固定される。ヘッドアーム６の他端はボイスコイルモータ７に係合する。ボイスコイルモータ７はヘッドアーム６を軸５を中心に回動される。ボイスコイルモータ７によりヘッドアーム６が回動されることにより、磁気ヘッド４が磁気ディスク２の半径方向、すなわち、矢印Ｂ方向に回動される。
【０００５】
磁気ディスク２、スピンドルモータ３、磁気ヘッド４、軸５、ヘッドアーム６、ボイスコイルモータ７は、防塵のためケース８に収納され、カバー９により密閉される。なお、磁気ヘッド４は、フレキシブルプリント配線板１０を介してケース８の外部に設けられた回路基板１１に接続される。回路基板１１には、コネクタ１２が搭載される。コネクタ１２が、コンピュータシステムに接続され、コンピュータシステムから磁気ディスク２へのアクセスが可能となる。
【０００６】
フレキシブルプリント配線板１０及び回路基板１１に搭載されたＩＣにより磁気ヘッド４で読み取られた信号の処理や、スピンドルモータ３及びボイスコイルモータ７の制御が行われる。
図２に従来の磁気ディスク装置の一例のブロック構成図を示す。同図中、図１と同一構成部分には同一符号を付し、その説明は省略する。
【０００７】
磁気ヘッド４は、フレキシブルプリント配線板１０に搭載されたヘッドＩＣ１３を介してリードチャネル１４に接続される。ヘッドＩＣ１３は、磁気ヘッド４で読み取られた信号を増幅してリードチャネル１４に供給する。
リードチャネル１４はヘッドＩＣ１３から供給された信号をサンプリングして、元の信号に復調する。リードチャネル１４で復調された情報はハードディスクコントローラ（ＨＤＣ）１５に供給される。ＨＤＣ１５は、リードチャネル１４により復調された情報をコンピュータシステムに送信したり、コンピュータシステムから供給されたコマンドに応じて装置全体を制御する。
【０００８】
ＨＤＣ１５は、マイクロコントロールユニット（ＭＣＵ）１６に接続されており、ＭＣＵ１６を介して各種制御を行う。ＭＣＵ１６は、ＨＤＣ１５からのコマンドに応じてサーボ回路１７を制御する。サーボ回路１７は、スピンドルモータ３及びボイスコイルモータ７に接続されており、ＲＤＣ１４で復調されたサーボ情報に基づいてスピンドルモータ３を磁気ディスク２の回転が一定なるように制御するとともに、磁気ヘッド４が磁気ディスク２上の所定のトラックを走査するように制御する。
【０００９】
なお、近年の高密度化に伴い、磁気ヘッド４の再生ヘッドとして、高感度に磁気を検出できるスピンバルブ素子を用いたヘッドが多用されている。
図３はスピンバルブ素子の一例の構造を示す図である。
スピンバルブヘッドは、フリー層１８、非磁性層１９、ピン層２０、反強磁性層２１から構成される。フリー層１８、ピン層２０は、Ｎｉ−Ｆｅなどの磁性体から構成され、非磁性層１９は、Ｃｕなどの非磁性体から構成され、反強磁性層２１は、Ｆｅ−Ｍｎなどの反強磁性体から構成される。
【００１０】
フリー層１８とピン層２０とは非磁性層１９を介して積層されており、フリー層１８は磁気ディスク２の磁化の方向に応じた方向に磁化され、ピン層２０は磁気ディスク２の磁化の方向によらず、一定の方向に磁化されている。
スピンバルブヘッドは、磁気ディスク２の磁化の方向に応じてフリー層１８が磁化されると、ピン層２０の磁化の大きさがフリー層１８の磁化の方向に応じて影響される。磁化の方向が変わることにより磁気抵抗効果により膜の抵抗値が変化する。この抵抗値の変化により磁気ディスク２に磁気的に記録された情報を読み出す。
【００１１】
図４、図５はスピンバルブヘッドの動作説明図を示す。図５（Ａ）は高抵抗時、図５（Ｂ）は低抵抗時の動作を示す。
図４に示すようにフリー層１８の磁化の方向に応じてピン層２０の磁化の方向が変動する。フリー層１８とピン層２０の磁化の方向が互いに逆方向のときには、図５（Ａ）に示すように高抵抗となり、フリー層１８とピン層２０の磁化の方向が同じ逆方向のときには、図５（Ｂ）に示すように低抵抗となる。
【００１２】
図６にスピンバルブヘッドのピン層とフリー層との角度に対する抵抗値の特性を示す。
図６に示すようにフリー層１８とピン層２０との角度が小さければ、低抵抗となり、フリー層１８とピン層２０との角度が大きければ、高抵抗となる。
スピンバルブヘッドの抵抗値を検出することにより磁気ディスク２に磁気的に記録された情報を読出信号として取り出していた。
【００１３】
【発明が解決しようとする課題】
しかるに、スピンバルブヘッドは膜圧が薄く、静電などの影響を受けやすい。例えば、静電気によりピン層２０の磁化の方向が反転する。
スピンバルブヘッドでピン層２０の磁化の方向が反転すると、図６に示すピン層とフリー層との角度に対する抵抗値の特性が破線で示すように反転し、読出信号が反転してしまう。読出信号が反転してしまうと、正常に信号の復調できなくなる等の問題点があった。
【００１４】
本発明は上記の点に鑑みてなされたもので、読出信号が反転しても、復調が可能となる情報再生装置を提供することを目的とする。
【００１５】
【課題を解決するための手段】
本願発明は、記録媒体に記録された信号をピン層の磁化の方向が一定とされたスピンバルブ素子により読み出し、該読出信号に基づいて情報を再生する情報再生装置において、
前記読出信号の極性を検出する極性検出手段と、
前記読出信号が供給されており、前記極性検出手段で検出された極性に応じて前記読出信号の極性を反転させる極性反転手段と、
前記極性反転手段の出力信号が供給されており、前記極性反転手段の出力信号を増幅して出力しており、前記極性検出手段での極性検出結果に応じて増幅率を切り換える増幅回路とを有することを特徴とする。
【００１６】
本発明によれば、再生信号のレベルを補正することにより、再生信号の極性を反転によりずれたレベルを正常レベルに補正することができるため、信号処理を正常に行うことができる。
【００２４】
【発明の実施の形態】
図７は、本発明の一実施例のブロック構成図を示す。同図中、図２と同一構成部分には同一符号を付し、その説明は省略する。
本実施例の磁気ディスク装置１００は、ヘッドＩＣの構成が図２とは相違する。
【００２５】
図８は、本発明の一実施例のヘッドＩＣのブロック構成図を示す。
本実施例のヘッドＩＣ１０１は、入力極性検出回路１０２、入力極性反転回路１０３、増幅回路１０４から構成される。
入力極性検出回路１０２は、ヘッドから読出信号が供給され、ＤＣ除去回路１０５、フィルタ回路１０６、比較回路１０７から構成される。
【００２６】
ＤＣ除去回路１０５は、オペアンプ１０８、抵抗Ｒ１〜Ｒ４から構成され、ＡＣ増幅回路を構成しており、ヘッドから供給される読出信号から直流成分を除去する。ＤＣ除去回路１０５でヘッドへのバイアス電圧などのＤＣ成分が除去された読出信号は、フィルタ回路１０６に供給される。
フィルタ回路１０６は、抵抗Ｒ５及びコンデンサＣ１から構成され、ＤＣ除去回路１０５で直流成分が除去された読出信号を整流平滑化する。フィルタ回路１０６で整流平滑化された信号は、比較回路１０７に供給される。
【００２７】
比較回路１０７は、コンパレータ１０９及び基準電圧源１１０から構成される。コンパレータ１０９は、非反転入力端子に基準電圧源１１０が接続され、反転入力端子にフィルタ回路１０６で整流平滑化された信号が供給される。
コンパレータ１０９は、フィルタ回路１０６で整流平滑化された信号が基準電圧源１１０で発生される基準電圧より大きければローレベル、フィルタ回路１０６で整流平滑化された信号が基準電圧源１１０で発生される基準電圧より小さければハイレベルの信号を出力する。
【００２８】
コンパレータ１０９の出力信号は入力極性反転回路１０３、増幅回路１０４に供給されるとともに、回路基板に搭載されたリードチャネルに供給される。入力極性反転回路１０３は、コンパレータ１０９の出力信号に応じて入力信号の極性を反転させる。
図９は本発明の一実施例の入力極性反転回路のブロック構成図を示す。
【００２９】
入力極性反転回路１０３は、第１のスイッチ１１１、第２のスイッチ１１２、差動増幅回路１１３から構成される。
第１のスイッチ１１１は、コンパレータ１０９の出力信号に応じて入力信号の一方の極性の信号を差動増幅器１１３の反転入力端子又は非反転入力端子のいずれか一方に供給されるように切り換える。第２のスイッチ１１２は、コンパレータ１０９の出力信号に応じて入力信号の一方の極性の信号を差動増幅器１１３の非反転入力端子又は反転入力端子のいずれか一方に供給されるように切り換える。差動増幅器１１３は、非反転入力端子に供給された信号と反転入力端子に供給された信号との差動信号を非反転出力信号及び反転出力信号として出力する。
【００３０】
第１のスイッチ１１１は、コンパレータ１０９の出力信号がハイレベルのときには、入力信号の一方の極性の信号を図９に実線で示すように差動増幅器１１３の反転入力端子に供給する。また、第２のスイッチ１１２は、コンパレータ１０９の出力信号がハイレベルのときには、入力信号の他方の極性の信号を図９に実線で示すように差動増幅器１１３の非反転入力端子に供給する。
【００３１】
さらに、第１のスイッチ１１１は、コンパレータ１０９の出力信号がローレベルのときには、入力信号の一方の極性の信号を図９に破線で示すように差動増幅器１１３の非反転入力端子に供給する。また、第２のスイッチ１１２は、コンパレータ１０９の出力信号がローレベルのときには、入力信号の他方の極性の信号を図９に破線で示すように差動増幅器１１３の反転入力端子に供給する。
【００３２】
以上により、差動増幅器１１３はコンパレータ１０９の出力信号がハイレベルとローレベルとで入力信号を反転して出力する。
差動増幅器１１３の出力信号は、入力極性反転回路１０３の出力信号として増幅回路１０４に供給される。
増幅回路１０４は、入力極性反転回路１０３の出力信号を増幅する。このとき、増幅回路１０４にはコンパレータ１０９の出力信号が供給されており、増幅回路１０４はコンパレータ１０９の出力信号に応じて増幅率が制御される。増幅回路１０４はコンパレータ１０９の出力信号がハイレベルのときに増幅率が小され、コンパレータ１０９の出力信号がローレベルのときに増幅率が大きくされる。増幅回路１０４は、コンパレータ１０９の出力信号に応じて増幅率を制御することにより、入力信号が反転状態と非反転状態とでの振幅を略一定になるように制御する。
【００３３】
また、コンパレータ１０９の出力信号はリードチャネルに設けられた上下非対称補正回路に供給される。上下非対称補正回路は、ヘッドＩＣ１０１から供給された読出信号の閾値をコンパレータ１０９の出力信号に応じて切り換えることにより、読出信号の上下非対称を補正する。
上下非対称補正回路は、コンパレータ１０９の出力信号がハイレベル、すなわち、読出信号が非反転状態のときには補正は行わず、コンパレータ１０９の出力信号がローレベル、すなわち、読出信号が反転状態のときに読出信号の上下が対称となるように補正を行う。
【００３４】
図１０に本発明の一実施例の動作説明図を示す。図１０（Ａ）はＤＣ除去回路１０５の出力信号、図１０（Ｂ）はフィルタ回路１０６の出力、図１０（Ｃ）は比較回路１０７の出力信号を示す。
ヘッドに発生した静電気によりヘッドのピン層の磁気極性が反転すると、図１０の時刻ｔ０で、図１０（Ａ）に示すようにＤＣ除去回路１０５の出力信号が反転する。ヘッドのピン層は所定の磁気極性で効率よく信号を読み出せるように構成されており、ヘッドのピン層の磁気極性が反転することにより、読出信号が非反転時より減衰する。
【００３５】
時刻ｔ０で読出信号が反転すると、同様にフィルタ回路１０６の出力信号も反転する。フィルタ回路１０６の出力信号が反転し、比較回路１０７の基準電圧源１１０で発生される基準電圧より大きくなると、図１０（Ｃ）に示すようにコンパレータ１０９の出力信号がローレベルになる。
コンパレータ１０９の出力信号がローレベルになることにより入力極性反転回路１０３が読出信号を反転増幅して出力する。反転増幅された読出信号は、増幅回路１０４で増幅される。増幅回路１０４で増幅された信号はリードチャネルに供給され、上下非対称補正回路で上下対称となるように補正された後復調される。
【００３６】
本実施例によれば、ヘッドのスピンバルブ素子の磁気極性が静電気などにより反転し、読出信号が反転しても、反転による読出信号の変化を読出信号から検出して、読出信号を反転させることによりスピンバルブ素子の磁気極性の反転の影響を除去した読出信号が得られ、正常な読み出しを行うことができる。
なお、本実施例では、読出信号からＤＣ成分を除去した信号をフィルタで整流平滑して得た信号からヘッドのスピンバルブ素子の磁気極性を判定したが、これに限られるものではなく、読出信号の積分値から読み出すことも可能である。
【００３７】
図１１は本発明の一実施例の入力極性検出回路の第１変形例のブロック構成図を示す。同図中、図８と同一構成部分には同一符号を付し、その説明は省略する。
本変形例の入力極性検出回路２００は、差動増幅器２０１、積分回路２０２、比較回路１０７から構成される。
【００３８】
差動増幅器２０１は、非反転入力端子に一方の極性の読出信号が供給され、反転入力端子に他方の極性の読出信号が供給され、その差動信号を出力する。差動増幅器２０１から出力される差動信号は、積分回路２０２に供給さえる。積分回路２０２は、差動増幅器２０１から出力される差動信号を積分して出力する。
積分回路２０２の出力信号は比較回路１０７を構成するコンパレータ１０９の反転入力端子に供給される。
【００３９】
コンパレータ１０９は、非反転入力端子に基準電圧源１１０が接続され、反転入力端子に積分回路２０２で積分された信号が供給される。
コンパレータ１０９は、積分回路２０２で積分された信号が基準電圧源１１０で発生される基準電圧より大きければローレベル、積分回路２０２で積分された信号が基準電圧源１１０で発生される基準電圧より小さければハイレベルの信号を出力する。
【００４０】
コンパレータ１０９の出力信号は入力極性反転回路１０３、増幅回路１０４に供給されるとともに、回路基板に搭載されたリードチャネルに供給される。入力極性反転回路１０３は、コンパレータ１０９の出力信号に応じて入力信号の極性を反転させる。
なお、本変形例では、磁気ヘッド４から供給される読出信号により入力極性を検出したが、出力信号を一定振幅に保持するためのＡＧＣ制御信号により入力極性を判定してもよい。
【００４１】
図１２は本発明の一実施例の入力極性検出回路の第２変形例のブロック構成図を示す。なお、図８と同一構成部分には同一符号を付し、その説明は省略する。本変形例は、増幅回路１０４の増幅率を制御するＡＧＣ回路３０１の出力結果を比較回路３０２により基準電圧と比較し、その比較結果に応じて入力極性を反転するようにしてなる。
【００４２】
ＡＧＣ回路３０１は、全波整流回路３０３及びチャージポンプ回路３０４、コンデンサＣから構成される。全波整流回路３０３は、増幅回路１０４の出力信号を全波整流する。全波整流回路３０３で全波整流された信号は、チャージポンプ回路３０４及びコンデンサＣによって整流されて、増幅回路１０４に供給される。増幅回路１０４は、チャージポンプ回路３０４及びコンデンサＣによって整流された信号によって出力信号の振幅が一定になるように増幅率を制御する。
【００４３】
比較回路３０２は、コンパレータ３０５及び基準電圧源３０６から構成される。コンパレータ３０５は、非反転入力端子に基準電圧源３０６が接続され、反転入力端子にチャージポンプ回路３０４で整流された信号が供給される。
コンパレータ３０５は、チャージポンプ回路３０４で整流された信号が基準電圧源３０６で発生される基準電圧より大きければローレベル、チャージポンプ回路３０４で整流された信号が基準電圧源３０６で発生される基準電圧より小さければハイレベルの信号を出力する。
【００４４】
すなわち、スピンバルブヘッドのピン層２０は所定の方向に磁化されて最適に動作するように設計されているので、ピン層２０の磁化が反転すると、希望の特性が得られず、読出信号が反転するとともに、読出信号の振幅が小さくなる。
よって、読出信号を一定に保持するためのＡＧＣの信号を検出することによりスピンバルブヘッドのピン層２０の磁化の方向の反転による読出信号の反転を検出できる。
【００４５】
コンパレータ３０５の出力信号は入力極性反転回路１０３に供給されるとともに、回路基板に搭載されたリードチャネルに供給される。入力極性反転回路１０３は、コンパレータ３０５の出力信号に応じて入力信号の極性を反転させる。
なお、上記実施例では、入力極性反転検出回路１０２の出力により入力極性反転回路１０３及び増幅回路１０４並びに上下非対称補正回路を制御したが、それぞれ別々に制御するようにしてもよい。
【００４６】
図１３は本発明の一実施例のヘッドＩＣの第３変形例のブロック構成図を示す。同図中、図８、図１１、図１２と同一構成部分には同一符号を付し、その説明は省略する。
本変形例は、入力極性反転検出回路１０２により検出した入力極性反転検出結果により入力極性反転回路１０３を制御し、ＡＧＣ回路３０１により得られるＡＧＣ制御信号により増幅回路１０４を制御する。さらに、上下非対称検出回路４０１を設け、上下非対称検出回路４０１の上下非対称検出結果に応じて上下非対称補正回路を制御するようにしてなる。
【００４７】
上下非対称検出回路４０１は、サンプルホールド回路４０２、イコライザ４０３、３値判定回路４０４、データ比較回路４０５から構成される。
サンプルホールド回路４０２には磁気ヘッド４で読み取られた読取信号が供給され、サンプルホールドされる。サンプルホールド回路４０２でサンプルホールドされた信号はイコライザ４０３に供給され、イコライジングされる。イコライザ４０３でイコライジングされた信号は、３値判定回路４０４に供給される。３値判定回路４０４は、イコライザ４０３から供給された信号に閾値と比較して「＋１」、「０」、「−１」を判定する。
【００４８】
３値判定回路４０４での判定結果は、データ比較回路４０５に供給される。データ比較回路４０５は、３値判定回路４０４での判定結果を期待値と比較して、判定結果が期待値より大きくずれたときに、非対称補正が必要であると判定して、リードチャネルに設けられた上下非対称補正回路を制御する。
なお、上下非対称検出回路４０１の出力結果によって、入力反転回路１０３、増幅回路１０４を制御するようにしてもよい。
【００４９】
また、本実施例は以下の発明を含む。
請求項３において、前記極性検出手段が、前記再生信号から直流成分を除去する直流成分除去手段と、
前記直流成分除去手段で直流成分が除去された信号の低周波成分を通過させるフィルタ手段と、
前記フィルタ手段を通過した信号を基準電圧と比較し、比較結果を極性検出結果として出力する比較手段とを有することを特徴とする情報再生装置。
【００５０】
請求項４において、前記極性検出手段は、前記再生信号を差動増幅する差動増幅手段と、
前記差動増幅手段の増幅信号を積分する積分手段と、
前記積分手段の積分結果を基準電圧と比較し、比較結果を極性検出結果として出力する比較手段とを有することを特徴とする情報再生装置。
【００５１】
請求項５において、前記極性検出手段は、前記再生信号をサンプルホールドするサンプルホールド手段と、
前記サンプルホールド手段でサンプルホールドされた信号から３値判定する３値判定手段と、
前記３値判定手段の判定結果と予め設定された期待値とを比較し、比較結果に応じて前記極性の反転を検出するデータ比較手段とを有することを特徴とする情報再生装置。
【００５２】
請求項１〜５において、前記再生信号を増幅する増幅手段を有し、
前記極性検出手段での検出結果に応じて前記増幅手段の増幅率を制御することを特徴とする情報再生装置。
請求項１〜６において、前記極性検出手段での検出結果に応じて前記再生信号を上下対称に補正する上下非対称補正手段を有することを特徴とする情報再生装置。なお、このような、情報再生装置によれば、スピンバルブヘッドにおいてはヘッドの磁気極性が反転することで再生信号の上下対称性が損なわれた場合でも、再生信号の上下非対称性を補正して信号処理を行うことができるため、信号処理を正常に行うことができる。
【００５３】
【発明の効果】
上述の如く、本発明によれば、再生信号のレベルを補正することにより、再生信号の極性を反転によりずれたレベルを正常レベルに補正することができるため、信号処理を正常に行うことができる等の特長を有する。
【図面の簡単な説明】
【図１】従来の磁気ディスク装置の一例の斜視図である。
【図２】従来の磁気ディスク装置の一例のブロック構成図である。
【図３】スピンバルブ素子の一例の構造を示す図である。
【図４】スピンバルブ素子の動作を説明するための図である。
【図５】スピンバルブ素子の動作を説明するための図である。
【図６】スピンバルブヘッドのピン層とフリー層との角度に対する抵抗値の特性図である。
【図７】本発明の一実施例のブロック構成図である。
【図８】本発明の一実施例のヘッドＩＣのブロック構成図である。
【図９】本発明の一実施例の入力極性反転回路のブロック構成図である。
【図１０】本発明の一実施例の動作説明図である。
【図１１】本発明の一実施例のヘッドＩＣの第１変形例のブロック構成図である。
【図１２】本発明の一実施例のヘッドＩＣの第２変形例のブロック構成図である。
【図１３】本発明の一実施例のヘッドＩＣの第３変形例のブロック構成図である。
【符号の説明】
２  磁気ディスク
３  スピンドルモータ
４  磁気ヘッド
５  軸
６  ヘッドアーム
７  ボイスコイルモータ
８  ケース
９  カバー
１０  フレキシブルプリント配線板
１１  回路基板
１２  コネクタ
１００  磁気ディスク装置
１０１  ヘッドＩＣ
１０２  入力極性反転検出回路
１０３  入力極性反転回路
１０４  増幅回路
１０５  ＤＣ除去回路
１０６  フィルタ回路
１０７  比較回路
１０８  オペアンプ
１０９  コンパレータ
１１０  基準電圧源
【図１】
0003655139.tif 000002
【図２】
0003655139.tif 000003
【図３】
0003655139.tif 000004
【図４】
0003655139.tif 000005
【図５】
0003655139.tif 000006
【図６】
0003655139.tif 000007
【図７】
0003655139.tif 000008
【図８】
0003655139.tif 000009
【図９】
0003655139.tif 000010
【図１０】
0003655139.tif 000011
【図１１】
0003655139.tif 000012
【図１２】
0003655139.tif 000013
【図１３】
0003655139.tif 000014